(57)【要約】  空気調和機の室内機は、被取付部に取り付けられ、空気が吹き出される吹出口が下部に形成された筐体と、上部において筐体との間に上下方向の隙間が形成された状態で吹出口を覆うように設けられ、空気が吹き出す方向を変更する風向板と、を備え、筐体は、吹出口の前端に沿った前端縁部と、隙間の前方において前端縁部から下方に突出し、風向板と対向する位置の全域に設けられた突出部と、を有する。
2020144846.tif 000002
【特許請求の範囲】
【請求項１】
被取付部に取り付けられ、空気が吹き出される吹出口が下部に形成された筐体と、
上部において前記筐体との間に上下方向の隙間が形成された状態で前記吹出口を覆うように設けられ、前記空気が吹き出す方向を変更する風向板と、を備え、
前記筐体は、
前記吹出口の前端に沿った前端縁部と、
前記隙間の前方において前記前端縁部から下方に突出し、前記風向板と対向する位置の全域に設けられた突出部と、を有する
空気調和機の室内機。
【請求項２】
前記突出部の下端の高さは、
前記風向板の上端の高さ以下である
請求項１記載の空気調和機の室内機。
【請求項３】
前記突出部の前面は、
前記前端縁部の前面から同一面上に沿って延びる
請求項１又は２記載の空気調和機の室内機。
【発明の詳細な説明】
【技術分野】
【０００１】
本発明は、筐体と風向板とを備える空気調和機の室内機に関する。
【背景技術】
【０００２】
従来、空気調和機の室内機は、筐体と風向板とを備えている。筐体の下部には、空気が吹き出される吹出口が形成されている。風向板は、空気が吹き出す方向を変更するものであり、上部において筐体との間に上下方向の隙間が形成された状態で吹出口を覆うように設けられている。これにより、風向板が回転しても、筐体に接触することを抑制している。特許文献１には、上記のように、風向板と筐体との間に隙間が形成され、風向板が他部品と接触することを抑制する空気調和機が開示されている。
【先行技術文献】
【特許文献】
【０００３】
【特許文献１】特開２００３−１９４３６３号公報
【発明の概要】
【発明が解決しようとする課題】
【０００４】
しかしながら、特許文献１は、風向板と筐体との間に隙間が形成されているため、隙間を通して室内機の内部が見えてしまい、意匠性が損なわれる。【０００５】
本発明は、上記のような課題を解決するためになされたもので、風向板と筐体との間に隙間が形成されていても、意匠性が損なわれない空気調和機の室内機を提供するものである。
【課題を解決するための手段】
【０００６】
本発明に係る空気調和機の室内機は、被取付部に取り付けられ、空気が吹き出される吹出口が下部に形成された筐体と、上部において筐体との間に上下方向の隙間が形成された状態で吹出口を覆うように設けられ、空気が吹き出す方向を変更する風向板と、を備え、筐体は、吹出口の前端に沿った前端縁部と、隙間の前方において前端縁部から下方に突出し、風向板と対向する位置の全域に設けられた突出部と、を有する。
【発明の効果】
【０００７】
本発明によれば、隙間の前方において突出部が下方に突出しているため、隙間が突出部に覆われる。このため、室内機の内部が見え難い。従って、風向板と筐体との間に隙間が形成されていても、意匠性を確保することができる。
【図面の簡単な説明】
【０００８】
【図１】本発明の実施の形態１に係る空気調和機１を示す回路図である。
【図２】本発明の実施の形態１に係る停止時の室内機３を示す斜視図である。
【図３】本発明の実施の形態１に係る動作時の室内機３を示す斜視図である。
【図４】本発明の実施の形態１に係る動作時の室内機３の断面図である。
【図５】本発明の実施の形態１に係る停止時の室内機３の断面図である。
【図６】本発明の実施の形態１に係る風向板２３を示す斜視図である。
【図７】本発明の実施の形態１に係る停止時の室内機３の拡大断面図である。
【図８】本発明の実施の形態１に係る突出部３２の拡大断面図である。
【図９】比較例の室内機１０３の拡大断面図である。
【図１０】本発明の実施の形態２に係る突出部２３２の拡大断面図である。
【図１１】本発明の実施の形態３に係る突出部３３２の拡大断面図である。
【発明を実施するための形態】
【０００９】
実施の形態１．
以下、本発明に係る空気調和機の室内機の実施の形態について、図面を参照しながら説明する。図１は、本発明の実施の形態１に係る空気調和機１を示す回路図である。図１に示すように、空気調和機１は、室内の空気を調整する装置であり、室外機２と、室内機３とを備えている。室外機２には、例えば圧縮機６、流路切替装置７、室外熱交換器８、室外送風機９及び膨張部１０が設けられている。室内機３には、例えば熱交換器１１及び送風機１２が設けられている。
【００１０】
圧縮機６、流路切替装置７、室外熱交換器８、膨張部１０及び熱交換器１１が冷媒配管５により接続されて冷媒回路４が構成されている。圧縮機６は、低温且つ低圧の状態の冷媒を吸入し、吸入した冷媒を圧縮して高温且つ高圧の状態の冷媒にして吐出するものである。流路切替装置７は、冷媒回路４において冷媒が流れる方向を切り替えるものであり、例えば四方弁である。室外熱交換器８は、例えば室外空気と冷媒との間で熱交換するものである。室外熱交換器８は、冷房運転時には凝縮器として作用し、暖房運転時には蒸発器として作用する。室外送風機９は、室外熱交換器８に室外空気を送る機器である。
【００１１】
膨張部１０は、冷媒を減圧して膨張する減圧弁又は膨張弁である。膨張部１０は、例えば開度が調整される電子式膨張弁である。熱交換器１１は、例えば室内空気と冷媒との間で熱交換するものである。熱交換器１１は、冷房運転時には蒸発器として作用し、暖房運転時には凝縮器として作用する。送風機１２は、熱交換器１１に室内空気を送る機器である。
【００１２】
（運転モード、冷房運転）
次に、空気調和機１の運転モードについて説明する。先ず、冷房運転について説明する。冷房運転において、圧縮機６に吸入された冷媒は、圧縮機６によって圧縮されて高温且つ高圧のガス状態で吐出する。圧縮機６から吐出された高温且つ高圧のガス状態の冷媒は、流路切替装置７を通過して、凝縮器として作用する室外熱交換器８に流入し、室外熱交換器８において、室外送風機９によって送られる室外空気と熱交換されて凝縮して液化する。凝縮された液状態の冷媒は、膨張部１０に流入し、膨張部１０において膨張及び減圧されて低温且つ低圧の気液二相状態の冷媒となる。そして、気液二相状態の冷媒は、蒸発器として作用する熱交換器１１に流入し、熱交換器１１において、送風機１２によって送られる室内空気と熱交換されて蒸発してガス化する。このとき、室内空気が冷やされ、室内において冷房が実施される。蒸発した低温且つ低圧のガス状態の冷媒は、流路切替装置７を通過して、圧縮機６に吸入される。
【００１３】
（運転モード、暖房運転）
次に、暖房運転について説明する。暖房運転において、圧縮機６に吸入された冷媒は、圧縮機６によって圧縮されて高温且つ高圧のガス状態で吐出する。圧縮機６から吐出された高温且つ高圧のガス状態の冷媒は、流路切替装置７を通過して、凝縮器として作用する熱交換器１１に流入し、熱交換器１１において、送風機１２によって送られる室内空気と熱交換されて凝縮して液化する。このとき、室内空気が暖められ、室内において暖房が実施される。凝縮された液状態の冷媒は、膨張部１０に流入し、膨張部１０において膨張及び減圧されて低温且つ低圧の気液二相状態の冷媒となる。そして、気液二相状態の冷媒は、蒸発器として作用する室外熱交換器８に流入し、室外熱交換器８において、室外送風機９によって送られる室外空気と熱交換されて蒸発してガス化する。蒸発した低温且つ低圧のガス状態の冷媒は、流路切替装置７を通過して、圧縮機６に吸入される。
【００１４】
（室内機３）
図２は、本発明の実施の形態１に係る停止時の室内機３を示す斜視図であり、図３は、本発明の実施の形態１に係る動作時の室内機３を示す斜視図である。図４は、本発明の実施の形態１に係る動作時の室内機３の断面図であり、図５は、本発明の実施の形態１に係る停止時の室内機３の断面図である。図２〜図５に示すように、室内機３は、筐体２０と、風向板２３と、熱交換器１１と、送風機１２と、ドレンパン組立体２５と、フィルタ２６と、フィルタ自動清掃ユニット２７と、正面意匠パネル２８とを備えている。
【００１５】
（筐体２０）
筐体２０は、室内の壁等の上部の被取付部１５に取り付けられ、内部に各機器が収容される箱体である。筐体２０の下部には、吹出口２１が形成されており、吹出口２１は、空気が室内に吹き出される開口である。また、筐体２０の上部には、吸込口２２が形成されており、吸込口２２は、室内の空気が吸い込まれる開口である。筐体２０は、例えば樹脂製である。
【００１６】
（風向板２３）
図６は、本発明の実施の形態１に係る風向板２３を示す斜視図である。図６に示すように、風向板２３は、閉じたときに筐体２０に形成された吹出口２１を覆うように設けられ、空気が吹き出す方向を変更する。風向板２３は、主に空気の上下方向の向きを調整する。風向板２３は、例えば幅方向に２つ分割されたものであり、それぞれの風向板２３は、室内機３の両端部に設けられた駆動用モータ２４によって回転駆動される。室内機３の運転が停止している際、それぞれの風向板２３は閉じており、室内機３の運転が開始されると、それぞれの風向板２３が開く。
【００１７】
（熱交換器１１、送風機１２）
熱交換器１１は、筐体２０に取り付けられ、前述の如く、室内空気と冷媒との間で熱交換するものである。熱交換器１１は、筐体２０の内部において上方に設けられており、吸込口２２から吸い込まれた室内空気を熱交換する。送風機１２は、筐体２０に取り付けられ、前述の如く、熱交換器１１に室内空気を送る機器である。送風機１２は、筐体２０の内部において熱交換器１１よりも下流側に設けられており、吸込口２２から吸い込んだ室内空気を熱交換器１１に送り、熱交換器１１において熱交換された空気を吹出口２１から吹き出す。
【００１８】
（ドレンパン組立体２５、フィルタ２６、フィルタ自動清掃ユニット２７、正面意匠パネル２８）
ドレンパン組立体２５は、筐体２０の内部において熱交換器１１の下方に設けられており、熱交換器１１から落下する水分を受ける。フィルタ２６は、筐体２０に形成された吸込口２２に設けられており、吸込み口から吸い込まれた空気に付着する塵埃等を除去する。フィルタ自動清掃ユニット２７は、筐体２０の内部において上方且つ前方に設けられており、筐体２０の吸込口２２に設けられたフィルタ２６を自動的に清掃する。正面意匠パネル２８は、筐体２０の前面に設けられる板状の部材であり、筐体２０の内部を覆う。
【００１９】
（前端縁部３１、突出部３２）
図７は、本発明の実施の形態１に係る停止時の室内機３の拡大断面図であり、図５の破線に囲まれた部分を示す図である。次に、筐体２０と風向板２３との関係について詳細に説明する。図７に示すように、筐体２０と風向板２３の上部との間には、上下方向の隙間４０が形成されている。即ち、風向板２３は、上部において筐体２０との間に上下方向の隙間４０が形成された状態で吹出口２１を覆うように設けられている。また、筐体２０は、吹出口２１の前端に沿った前端縁部３１と、隙間４０の前方において前端縁部３１から下方に突出する突出部３２とを有している。
【００２０】
突出部３２は、隙間４０から所定の距離だけ前方に設けられており、下端は円弧形状をなしている。これにより、ユーザ等が突出部３２に触れても安全である。なお、筐体２０において、突出部３２が設けられている部分と、突出部３２が設けられていない部分との肉厚は同じとなっている。これにより、筐体２０の成形性が良好となる。
【００２１】
突出部３２の前面は、前端縁部３１の前面から同一面上に沿って延びている。突出部３２は、風向板２３と対向する位置の全域に設けられている。突出部３２は、例えば樹脂製であり、筐体２０が成形される際に突出部３２も一体的に成形される。ここで、図３を用いて、吹出口２１の側縁部３３と突出部３２との関係について説明する。突出部３２は、筐体２０における吹出口２１の側縁部３３の延長線Ｓと交差するように設けられている。
【００２２】
図８は、本発明の実施の形態１に係る突出部３２の拡大断面図である。図８に示すように、突出部３２の下端の高さＡは、風向板２３の上端の高さＢよりも低い（Ａ＜Ｂ）。この場合、突出部３２におけるＢ以下の部分（突出部３２の太字で囲まれた部分）と、風向板２３におけるＡ以上の部分（風向板２３の太字で囲まれた部分）とは、水平からみた場合に重なっている。
【００２３】
本実施の形態１によれば、隙間４０の前方において突出部３２が下方に突出しているため、隙間４０が突出部３２に覆われる。このため、室内機３を見上げているユーザ等は、室内機３の内部が見え難い。従って、風向板２３と筐体２０との間に隙間４０が形成されていても、意匠性を確保することができる。また、本実施の形態１は、図８に示すように、突出部３２の下端の高さＡは、風向板２３の上端の高さＢより低い。これにより、突出部３２におけるＢ以下の部分（突出部３２の太字で囲まれた部分）と、風向板２３におけるＡ以上の部分（風向板２３の太字で囲まれた部分）とは、水平からみた場合に重なっている。従って、仮にユーザ等が水平方向から室内機３を見ても、室内機３の内部は突出部３２に阻まれて見えない。即ち、本実施の形態１は、意匠性を更に改善することができる。
【００２４】
図９は、比較例の室内機１０３の拡大断面図である。ここで、本実施の形態１に係る室内機３の作用を分かりやすくするために、比較例に係る室内機１０３と比較して説明する。比較例に係る室内機１０３の筐体１２０は、前端縁部１３１から下方に突出する突出部を有していない。このため、風向板１２３と筐体１２０との間に形成される隙間４０が、そのまま露出している。従って、室内機１０３を見上げているユーザ等からは、隙間４０を通して室内機１０３の内部が見えてしまい、意匠性が損なわれる。また、意匠性を向上させるために、隙間４０を小さくして目立たないようにしようとすると、風向板１２３が回転したときに筐体１２０に接触する虞がある。
【００２５】
これに対し、本実施の形態１は、隙間４０の前方において突出部３２が下方に突出しているため、隙間４０が突出部３２に覆われる。従って、風向板２３と筐体２０との間に隙間４０が形成されていても、意匠性を確保することができる。ここで、本実施の形態１は、図６に示すように、風向板２３が２つに分割されたものとなっている。それぞれの風向板２３の駆動用モータ２４が設けられている側は、駆動用モータ２４の回転駆動に追従して回転する。一方、風向板２３の駆動用モータ２４が設けられていない室内機３の中央側は、駆動用モータ２４から離れているため、回転範囲に若干のばらつきが生じる。このため、風向板２３の室内機３の中央側が、隙間４０がより生じ易くなっている。しかし、本実施の形態１は、風向板２３の室内機３の中央側が、自重により若干開いて隙間４０が広がっていても、突出部３２が下方に突出しているため、隙間４０を目立たなくすることができる。
【００２６】
また、突出部３２の前面は、前端縁部３１の前面から同一面上に沿って延びている。このように、突出部３２と前端縁部３１との間に段差がないため、意匠性を更に向上させることができる。更に、突出部３２の前面が前端縁部３１の前面から同一面上に沿って延びているため、前端縁部３１と突出部３２とを一体的に成形することができるため、筐体２０を製造する上での製造性を向上させることもできる。
【００２７】
実施の形態２．
図１０は、本発明の実施の形態２に係る突出部２３２の拡大断面図である。本実施の形態２は、突出部２３２の下端の高さＡが、風向板２３の上端の高さＢと同じである場合（Ａ＝Ｂ）について例示する。本実施の形態２では、実施の形態１と同一の部分は同一の符号を付して説明を省略し、実施の形態１との相違点を中心に説明する。
【００２８】
図１０に示すように、風向板２３と筐体２０との間の隙間４０は、室内機２０３を水平からみた場合に突出部２３２に覆われている。このため、仮にユーザ等が水平方向から室内機２０３を見ても、室内機２０３の内部は突出部２３２に阻まれて見えない。即ち、本実施の形態２は、実施の形態１と同様に、意匠性を更に改善することができる。筐体２０及び風向板２３の製造上のばらつき及び風向板２３の自重等により、突出部２３２の下端の高さＡが、風向板２３の上端の高さＢと同じとなる状態が維持されることは容易ではない。しかし、実施の形態１とあわせ、突出部２３２の下端の高さＡは、風向板２３の上端の高さＢ以下（Ａ≦Ｂ）であれば、意匠性を更に改善することができる。
【００２９】
実施の形態３．
図１１は、本発明の実施の形態３に係る突出部３３２の拡大断面図である。本実施の形態３は、突出部３３２の下端の高さＡが、風向板２３の上端の高さＢよりも高い場合（Ａ＞Ｂ）について例示する。本実施の形態３では、実施の形態１、２と同一の部分は同一の符号を付して説明を省略し、実施の形態１、２との相違点を中心に説明する。
【００３０】
図１１に示すように、風向板２３と筐体２０との間の隙間４０は、室内機３０３を水平からみた場合に突出部３３２に一部覆われている。このように、突出部３３２が隙間４０の前方において前端縁部３１から下方に突出しており、隙間４０の一部が突出部３３２に覆われているため、隙間４０が目立たない。従って、ユーザ等が室内機３０３を見上げても、室内機３０３の内部は突出部３３２に阻まれて見え難い。
【００３１】
図６に示すように、本実施の形態３は、風向板２３が２つに分割されたものであると、それぞれの風向板２３の駆動用モータ２４が設けられている側は、駆動用モータ２４の回転駆動に追従して回転する。一方、風向板２３の駆動用モータ２４が設けられていない室内機３の中央側は、駆動用モータ２４から離れているため、回転範囲に若干のばらつきが生じる。このため、風向板２３の室内機３０３の中央側が、隙間４０がより生じ易くなっている。これにより、本実施の形態３のように、突出部３３２の下端の高さＡが、風向板２３の上端の高さＢよりも高く（Ａ＞Ｂ）なっても、突出部３３２が隙間４０の前方において前端縁部３１から下方に突出している。このため、ユーザ等が室内機３０３を見上げても、室内機３０３の内部は突出部３３２に阻まれて見え難い。
【符号の説明】
【００３２】
１  空気調和機、２  室外機、３  室内機、４  冷媒回路、５  冷媒配管、６  圧縮機、７  流路切替装置、８  室外熱交換器、９  室外送風機、１０  膨張部、１１  熱交換器、１２  送風機、１５  被取付部、２０  筐体、２１  吹出口、２２  吸込口、２３  風向板、２４  駆動用モータ、２５  ドレンパン組立体、２６  フィルタ、２７  フィルタ自動清掃ユニット、２８  正面意匠パネル、３１  前端縁部、３２  突出部、３３  側縁部、４０  隙間、１０３  室内機、１２０  筐体、１２３  風向板、２０３  室内機、２３２  突出部、３０３  室内機、３３２  突出部。
【図１】
2020144846.tif 000003
【図２】
2020144846.tif 000004
【図３】
2020144846.tif 000005
【図４】
2020144846.tif 000006
【図５】
2020144846.tif 000007
【図６】
2020144846.tif 000008
【図７】
2020144846.tif 000009
【図８】
2020144846.tif 000010
【図９】
2020144846.tif 000011
【図１０】
2020144846.tif 000012
【図１１】
2020144846.tif 000013
【手続補正書】
【提出日】令和2年12月16日(2020.12.16)
【手続補正１】
【補正対象書類名】明細書
【補正対象項目名】０００６
【補正方法】変更
【補正の内容】
【０００６】
本発明に係る空気調和機の室内機は、室内の壁の上部に取り付けられる空気調和機の室内機であって、上部に空気が吸い込まれる吸込口、及び下部に空気が吹き出される吹出口が形成された筐体と、当該室内機の運転停止時には上部において筐体との間に上下方向の隙間が形成された状態で吹出口を覆い、当該室内機の運転が開始されると空気が吹き出す方向を変更する風向板と、を備え、筐体は、吹出口の前端に沿った前端縁部と、隙間の前方において前端縁部から下方に突出し、当該室内機の運転停止時における風向板と対向する位置の全域に設けられた突出部と、を有し、突出部の下端の高さは、当該室内機の運転停止時における風向板の上端の高さ以下である。
【手続補正２】
【補正対象書類名】特許請求の範囲
【補正対象項目名】全文
【補正方法】変更
【補正の内容】
【特許請求の範囲】
【請求項１】
室内の壁の上部に取り付けられる空気調和機の室内機であって、
上部に空気が吸い込まれる吸込口、及び下部に空気が吹き出される吹出口が形成された筐体と、
当該室内機の運転停止時には上部において前記筐体との間に上下方向の隙間が形成された状態で前記吹出口を覆い、当該室内機の運転が開始されると前記空気が吹き出す方向を変更する風向板と、を備え、
前記筐体は、
前記吹出口の前端に沿った前端縁部と、
前記隙間の前方において前記前端縁部から下方に突出し、当該室内機の運転停止時における前記風向板と対向する位置の全域に設けられた突出部と、を有し、
前記突出部の下端の高さは、
当該室内機の運転停止時における前記風向板の上端の高さ以下である
空気調和機の室内機。
【請求項２】
前記突出部の下端の高さは、
当該室内機の運転停止時における前記風向板の上端の高さよりも低い
請求項１記載の空気調和機の室内機。
【請求項３】
前記突出部の前面は、
前記前端縁部の前面から同一面上に沿って延びる
請求項１又は２記載の空気調和機の室内機。
【国際調査報告】
2020144846.tif 000014
2020144846.tif 000015